(57)【要約】【課題】画像信号へのノイズの影響を低減し、画質の向上を図ることができるプロジェクタを提供すること。【解決手段】プロジェクタの制御基板は、液晶パネルを駆動制御するメイン基板５１と、このメイン基板５１とは独立して配置されるサブ基板５２とを備える。サブ基板５２には、冷却ユニットを構成する複数の冷却ファンを駆動するためのファン駆動回路が実装されている。また、このサブ基板５２はシールド板８Ｂが取り付けられている。このシールド板８Ｂと、上部シールド板８Ａと、下部シールド板８Ｃとでサブ基板５２、メイン基板５１等の回路部品が覆われることとなる。【選択図】 図１１
2005070516.tif 000002
【特許請求の範囲】
【請求項１】
光源と、この光源から射出された光束を画像情報に応じて変調し光学像を形成する光変調装置と、この光変調装置で形成された光学像を拡大投写する投写光学系と、これらを収納する筐体とを備えたプロジェクタであって、
前記筐体内部を冷却するファンを有し、
前記光変調装置を駆動制御する回路が実装されたメイン基板と、このメイン基板とは独立して配置されるとともに、前記ファンを駆動させるファン駆動回路が形成されたサブ基板とを有することを特徴とするプロジェクタ。
【請求項２】
請求項１に記載のプロジェクタにおいて、
前記サブ基板は、このサブ基板を覆うように設けられた金属製のシールド部材に固定されていることを特徴とするプロジェクタ。
【請求項３】
請求項２に記載のプロジェクタにおいて、
前記シールド部材は、前記メイン基板の表裏面を覆う他のシールド部材に固定され、
前記シールド部材及び他のシールド部材により、前記メイン基板及び前記サブ基板を含む前記筐体内部に配置された回路部品全体が覆われることを特徴とするプロジェクタ。
【請求項４】
請求項１から３のいずれかに記載のプロジェクタにおいて、
前記光源を駆動する光源駆動回路基板及びこの光源駆動回路基板を囲む筒状部材を有する光源駆動ブロックと、
前記光源駆動ブロックの光源駆動回路基板と前記メイン基板とに電力を供給する電源回路基板及びこの電源回路基板を囲む筒状部材を有する電源ブロックとを備え、
前記光源駆動ブロックと、前記電源ブロックとは、前記筒状部材が互いに略平行配置されており、
前記筒状部材の軸方向に沿って、前記サブ基板が配置されていることを特徴とするプロジェクタ。
【発明の詳細な説明】
【技術分野】
【０００１】
本発明は、プロジェクタに関する。
【背景技術】
【０００２】
従来から、複数の色光を画像情報に応じて各色光ごとに変調する複数の光変調装置、各光変調装置で変調された色光を合成する色合成光学系、この色合成光学系で合成された光束を拡大投写して投写画像を形成する投写光学系、これら収容する外装ケース（筐体）、前記光変調装置を駆動制御するための回路等が実装されたメイン基板を有するプロジェクタが利用されている（例えば、特許文献１参照）。
このようなプロジェクタの外装ケース内部には、ファンが配置されており、外装ケース内部の光変調装置、光源、メイン基板等を冷却している。そして、ファンを駆動させるためのファンの駆動回路は、前記メイン基板に実装されている。
【０００３】
【特許文献１】特開２００２−２２９１２１号公報（図２、第４頁）
【発明の開示】
【発明が解決しようとする課題】
【０００４】
しかしながら、このようなプロジェクタでは、ファンの駆動回路と、光変調装置を駆動制御する回路とが同じ基板上に形成されているため、ファンの駆動回路からのノイズが画像信号に影響して、画像の歪み等が生じ、画質の向上を図ることが困難となっている。
【０００５】
本発明の目的は、画像信号へのノイズの影響を低減し、画質の向上を図ることができるプロジェクタを提供することである。
【課題を解決するための手段】
【０００６】
本発明のプロジェクタは、光源と、この光源から射出された光束を画像情報に応じて変調し光学像を形成する光変調装置と、この光変調装置で形成された光学像を拡大投写する投写光学系と、これらを収納する筐体とを備えたプロジェクタであって、前記筐体内部を冷却するファンを有し、前記光変調装置を駆動制御する回路が実装されたメイン基板と、このメイン基板とは独立して配置されるとともに、前記ファンを駆動させるファン駆動回路が形成されたサブ基板とを有することを特徴とする。
このような本発明によれば、光変調装置を駆動制御する回路、すなわち、画像信号を処理する処理回路が実装されたメイン基板とは別に、ファンを駆動制御するファン駆動回路が形成されたサブ基板を備えており、メイン基板には、ファン駆動回路が形成されていないので、ファン駆動回路からのノイズが画像信号に影響しにくくなる。これにより、画質の向上を図ることができる。
特に、プロジェクタの駆動時には、ファンを常時回転させる必要があるため、ファン駆動回路からは常時ノイズが発生することとなる。従って、ファン駆動回路と、光変調装置を駆動制御する回路とを別の基板に搭載させることで、効果的に画質の向上を図ることができるのである。
【０００７】
本発明では、前記サブ基板は、このサブ基板を覆うように設けられた金属製のシールド部材に固定されていることが好ましい。
サブ基板を覆うようにシールド部材が設けられているので、サブ基板からの電磁波が遮蔽され、これにより、ファン駆動回路からのノイズの影響をより効果的に低減させることができる。
【０００８】
さらに、本発明では、前記シールド部材は、前記メイン基板の表裏面を覆う他のシールド部材に固定されて、前記シールド部材及び他のシールド部材により、前記メイン基板及び前記サブ基板を含む前記筐体内部に配置された回路部品全体が覆われることが好ましい。
このような本発明によれば、サブ基板を覆うシールド部材及びメイン基板を覆う他のシールド部材により、筐体内部に配置された回路部品全体をシールドすることができるので、回路部品全体を遮蔽するシールド部材を別途設ける必要がなく、構造を簡略化することができる。
【０００９】
また、本発明では、前記光源を駆動する光源駆動回路基板及びこの光源駆動回路基板を囲む筒状部材を有する光源駆動ブロックと、前記光源駆動ブロックの光源駆動回路基板と前記メイン基板とに電力を供給する電源回路基板及びこの電源回路基板を囲む筒状部材を有する電源ブロックとを備え、前記光源駆動ブロックと、前記電源ブロックとは、前記筒状部材が互いに略平行配置されており、前記筒状部材の軸方向に沿って、前記サブ基板が配置されていることが好ましい。
このような本発明では、光源駆動ブロックと、電源ブロックとは、筒状部材が互いに平行配置されており、筒状部材の軸方向に沿って、サブ基板が配置されている。従って、光源駆動ブロック及び電源ブロックの筒状部材の開口側にファンを設置することにより、このファンで光源駆動ブロック、電源ブロックのみならず、サブ基板も冷却することができる。
【発明を実施するための最良の形態】
【００１０】
以下、本発明の実施の一形態を図面に基づいて説明する。
（１）外観構成
図１は、本実施形態に係るプロジェクタ１を上方前面側から見た斜視図である。図２は、プロジェクタ１を下方背面側から見た斜視図である。
プロジェクタ１は、光源から射出された光束を画像情報に応じて変調し、スクリーン等の投写面上に拡大投写する。このプロジェクタ１は、図１または図２に示すように、略直方体状の外装ケース２、およびこの外装ケース２から露出する投写レンズ３（図１）を備える。
投写レンズ３は、筒状の鏡筒内に複数のレンズが収納された組レンズとして構成され、プロジェクタ１の装置本体により画像情報に応じて変調された光学像を拡大投写する。
【００１１】
外装ケース２は、合成樹脂製の筐体であり、プロジェクタ１の装置本体を収納する。この外装ケース２は、図１または図２に示すように、装置本体の上部部分を覆うアッパーケース２１と、装置本体の下部部分を覆うロアーケース２２と、装置本体の前面部分を覆うフロントケース２３（図１）と、装置本体の側面部分の一部を覆うサイドケース２４と、装置本体の背面部分の一部を覆うリアケース２５（図２）とを備える。
アッパーケース２１は、図１または図２に示すように、外装ケース２の上面、側面の一部、および背面の一部をそれぞれ形成する上面部２１Ａ（図１）、側面部２１Ｂ，２１Ｃ（図１）、および背面部２１Ｄ（図２）を含んで構成される。
【００１２】
上面部２１Ａは、図１に示すように、平面視略矩形形状を有し、平面視略中央部分から前面側、側面側、および背面側にかけて、なだらかに湾曲し、凸曲面形状を有し、外装ケース２の上面を形成する。また、この上面部２１Ａの前方側端縁は、図１に示すように、前方から見て右側部分が曲線上に切り欠かれるように形成されている。
この上面部２１Ａにおいて、後方側略中央部分には、図１に示すように、プロジェクタ１の起動・調整操作を実施する操作パネル２６が左右方向に延びるように設けられている。操作パネル２６の操作ボタン２６１を適宜押下すると、操作パネル２６内部に配置される図示しない回路基板に実装されたタクトスイッチと接触し、所望の操作が可能となる。また、前記回路基板には、図示しないＬＥＤ（Light Emitting Diode）が取り付けられており、所望の操作に応じて発光するようになっている。さらに、操作パネル２６は、操作ボタン２６１を囲むように配置される化粧板２６２を備えており、前記ＬＥＤからの光は化粧板２６２を介して拡散される。
なお、前述した操作パネル２６の回路基板は、後述する制御基板と電気的に接続され、操作ボタン２６１の押下に伴う操作信号は、制御基板に出力される。
【００１３】
また、この上面部２１Ａの前方側であって、前方から見て右側部分から、図１に示すように、投写レンズ３を上下左右に動かし、投写レンズ３の位置を調整する投写レンズ位置調整装置３０（図７参照）を構成する２つのダイアル３１１，３２１が露出している。この２つのダイアル３１１，３２１のうち、ダイアル３１１をＹ１方向（前方向）に回転させると、投写レンズ３がＹ３方向（下方）に動き、ダイアル３１１をＹ２方向（後方向）に回転させると、投写レンズ３がＹ４方向（上方）に動くこととなる。また、ダイアル３２１をＸ１方向（プロジェクタ１後方から見て右方向）に回転させると、投写レンズ３がＸ３方向（右方向）に動き、ダイアル３２１をＸ２方向（プロジェクタ１後方から見て左方向）に回転させると、投写レンズ３がＸ４方向（左方向）に動くこととなる。
【００１４】
側面部２１Ｂ，２１Ｃは、図１または図２に示すように、上面部２１Ａの長辺方向両端縁から略垂下し、投写方向両端縁が前面側および背面側に凸曲面を有するように湾曲している。
このうち、側面部２１Ｃにおいて、前方側には、図１に示すように、平面視コ字状の切り欠き２１Ｃ１が形成され、また、投写方向略中央部分から後方側にかけて、平面視コ字状の切り欠き２１Ｃ２が形成されている。
【００１５】
背面部２１Ｄは、図２に示すように、上面部２１Ａの短辺方向後方側端縁から略垂下し、長辺方向両端縁が湾曲して側面部２１Ｂ，２１Ｃと接続する。
この背面部２１Ｄにおいて、後方側から見て左側から長辺方向略中央部分にかけて、図２に示すように、平面視コ字状の切り欠き２１Ｄ１が形成されている。
また、この背面部２１Ｄにおいて、後方側から見て右側には、図２に示すように、リモコン受光窓２１Ｄ２が形成されている。そして、このリモコン受光窓２１Ｄ２の内側には、図示しないリモートコントローラからの操作信号を受信する図示しないリモコン受光モジュールが配置されている。
なお、リモートコントローラには、前述した操作パネル２６に設けられる起動スイッチ、調整スイッチ等と同様のものが設けられていて、リモートコントローラを操作すると、この操作に応じた赤外線信号がリモートコントローラから出力され、赤外線信号は、リモコン受光窓２１Ｄ２を介してリモコン受光モジュールで受光され、後述する制御基板で処理される。
【００１６】
ロアーケース２２は、図２に示すように、外装ケース２の底面、側面の一部、および背面の一部をそれぞれ形成する、底面部２２Ａ、側面部２２Ｂ，２２Ｃ、および背面部２２Ｄを含んで構成される。
底面部２２Ａは、図２に示すように、略矩形状の平坦面で構成され、外装ケース２の底面を形成する。
この底面部２２Ａにおいて、後方側長辺方向略中央部分には、図２に示すように、プロジェクタ１の脚部を構成する固定脚部２２Ａ１が設けられている。また、前方側長辺方向両端部分には、下方側に膨出する膨出部２２Ａ２が形成され、この膨出部２２Ａ２には、固定脚部２２Ａ１とともにプロジェクタ１の脚部を構成する調整脚部２２Ａ３が設けられている。
このうち、調整脚部２２Ａ３は、膨出部２２Ａ２から底面部２２Ａの面外方向に進退自在に突出し、プロジェクタ１の投写時におけるプロジェクタ１の前後方向および左右方向の傾斜位置を調整可能としている。
【００１７】
また、底面部２２Ａにおいて、後方から見て左側であって、短辺方向略中央部分には、図２に示すように、外装ケース２内部と連通する吸気口２Ａが形成されている。
この吸気口２Ａは、外装ケース２外部の冷却空気を外装ケース２内部に取り込む開口であり、この吸気口２Ａには、複数の開口が形成されたカバー２Ａ１が取り付けられている。
【００１８】
側面部２２Ｂ，２２Ｃは、図１または図２に示すように、底面部２２Ａの長辺方向両端縁から上方に立設するものであり、投写方向両端縁が前面側および背面側に凸曲面を有するように湾曲している。
側面部２２Ｂ，２２Ｃにおいて、前方側下端部分には、図１または図２に示すように、底面部２２Ａの膨出部２２Ａ２と略連続して外側に膨出する膨出部２２Ｂ１（図２），２２Ｃ１（図１）が形成されている。
また、側面部２２Ｃにおいて、前方側には、図１に示すように、平面視コ字状の切り欠き２２Ｃ１が形成され、また、投写方向略中央部分から後方側にかけて、平面視コ字状の切り欠き２２Ｃ２が形成されている。そして、アッパーケース２１の切り欠き２１Ｃ１およびロアーケース２２の切り欠き２２Ｃ１が接続することで、外装ケース２内部の空気を外装ケース２外部に排出するための排出口２Ｂが形成される。また、アッパーケース２１の切り欠き２１Ｃ２およびロアーケース２２の切り欠き２２Ｃ２が接続することで、サイドケース２４と係合する開口２Ｃが形成される。
【００１９】
背面部２２Ｄは、図２に示すように、底面部２２Ａの長辺方向後方側端縁から上方に立設するものであり、アッパーケース２１の背面部２１Ｄと略同様に、長手方向両端縁が湾曲して側面部２２Ｂ，２２Ｃと接続する。
この背面部２２Ｄにおいて、上端側長手方向略中央部分には、図２に示すように、外装ケース２の内側に窪み、底面部分に矩形状の開口２２Ｄ１が形成されている。そして、この開口２２Ｄ１を介して内部のインレットコネクタ２７が露出し、外部の電力をプロジェクタ１の装置本体に供給可能としている。
【００２０】
フロントケース２３は、図１に示すように、左右方向に延びる略楕円形状に形成され、前方から見て右側部分が上下方向に膨出している。そして、このフロントケース２３は、アッパーケース２１およびロアーケース２２が接続された状態で前面側に形成される開口に係合し、外装ケース２の前面を形成する。
【００２１】
このフロントケース２３において、前方から見て右側部分には、図１に示すように、外装ケース２の内側に窪み、この窪みの中心部分に略円形状の開口２３１が形成されている。そして、この開口２３１は、投写レンズ３の先端部分を露出させる。
また、このフロントケース２３において、長手方向略中央部分には、図１に示すように、前述のリモコン受光窓２１Ｄ２と同様のリモコン受光窓２３２が設けられている。そして、これらリモコン受光窓２１Ｄ２およびリモコン受光窓２３２を介して、プロジェクタ１の前方および後方の双方から図示しないリモートコントローラを用いてプロジェクタ１の遠隔操作を実施できるように構成されている。
【００２２】
さらに、このフロントケース２３において、前方から見て左側部分には、図１に示すように、プロジェクタ１の製造会社名、または製品名等が記載された情報表示板２８が取り付けられている。
【００２３】
サイドケース２４は、図１に示すように、断面略円弧状の板体から構成され、外装ケース２の開口２Ｃに係合し、アッパーケース２１の側面部２１Ｂ，２１Ｃ、およびロアーケース２２の側面部２２Ｂ，２２Ｃとともに、外装ケース２の側面を形成する。
このサイドケース２４の内側には、プロジェクタ１の装置本体を構成する後述する光源装置が配置され、サイドケース２４を外装ケース２から取り外すことで、前記光源装置を装置本体に着脱自在とする。
また、サイドケース２４の下端側には、図２に示すように、固定用孔２４１が形成され、ねじ等により外装ケース２内部の固定部材に固定される。
【００２４】
リアケース２５は、略矩形状の板体から構成され、該板体の各端縁から後方側に突出する突出部２５１を有し、断面略コ字状に形成されている。このリアケース２５は、突出部２５１の先端部分と、アッパーケース２１の背面部２１Ｄに形成された切り欠き２１Ｄ１、およびロアーケース２２の背面部２２Ｄの上端部分とが接続し、アッパーケース２１およびロアーケース２２が接続された状態で背面側に形成される開口部分を塞ぐ。そして、このリアケース２５は、アッパーケース２１の背面部２１Ｄおよびロアーケース２２の背面部２２Ｄとともに、外装ケース２の背面を形成する。
また、このリアケース２５には、図２に示すように、複数の孔２５２が形成され、これら複数の孔２５２を介して、外部の電子機器からの画像信号、音声信号等を入力するための複数の接続端子２５３が外部に露出している。このリアケース２５の内側には、接続端子２５３から入力される信号を処理する図示しないインターフェース基板が配置されている。
なお、前記インターフェース基板は、後述する制御基板と電気的に接続され、前記インターフェース基板にて処理された信号は、制御基板に出力される。
【００２５】
（２）内部構成
図３ないし図５は、プロジェクタ１の内部構成を示す図である。具体的に、図３は、図１の状態からアッパーケース２１、フロントケース２３、およびサイドケース２４を取り外した状態を示す図である。図４は、図３の状態から上部シールド板をさらに取り外した状態を示す図である。図５は、図４の状態から制御基板をさらに取り外した状態を示す図である。
外装ケース２の内部には、図３ないし図５に示すように、プロジェクタ１の装置本体が収容されており、この装置本体は、外装ケース２の長手方向に沿って左右方向に延び、一方の端部が前方に延びる平面視略Ｌ字状の光学ユニット４（図５）と、この光学ユニット４の上方およびフロントケース２３の内側にそれぞれ配置される制御基板５と、光学ユニット４のＬ字状内側に配置される電源ユニット６と、外装ケース２内部を冷却する冷却ユニット７（図５）とを備えている。
【００２６】
(2-1)光学ユニット４の構造
図６は、光学ユニット４の光学系を模式的に示す図である。
光学ユニット４は、光源装置から射出された光束を画像情報に応じて変調して光学像を形成し、投写レンズ３を介してスクリーン上に投写画像を形成するものである。この光学ユニット４は、図６に示すように、インテグレータ照明光学系４１と、色分離光学系４２と、光学フィルタ４２Ａと、リレー光学系４３と、光変調装置および色合成光学装置を一体化した光学装置４４と、これら光学部品４１，４２，４２Ａ，４３，４４を収納配置するライトガイド４５とに機能的に大別される。
【００２７】
インテグレータ照明光学系４１は、光源から射出された光束を照明光軸直交面内における照度を均一にするための光学系である。このインテグレータ照明光学系４１は、光源装置４１１、第１レンズアレイ４１２、第２レンズアレイ４１３、偏光変換素子４１４、および重畳レンズ４１５を備えて構成される。
光源装置４１１は、放射光源としての光源ランプ４１１Ａ、リフレクタ４１１Ｂ、およびリフレクタ４１１Ｂの光束射出面を覆う防爆ガラス４１１Ｃを備える。そして、光源ランプ４１１Ａから射出された放射状の光束は、リフレクタ４１１Ｂで反射されて略平行光束とされ、外部へと射出される。本実施形態では、光源ランプ４１１Ａとして、高圧水銀ランプを採用し、リフレクタ４１１Ｂとして、放物面鏡を採用している。なお、光源ランプ４１１Ａとしては、高圧水銀ランプに限らず、例えばメタルハライドランプやハロゲンランプ等を採用してもよい。また、リフレクタ４１１Ｂとして放物面鏡を採用しているが、これに限らず、楕円面鏡からなるリフレクタの射出面に平行化凹レンズを配置した構成を採用してもよい。
【００２８】
第１レンズアレイ４１２は、照明光軸方向から見てほぼ矩形状の輪郭を有する小レンズがマトリクス状に配列された構成を具備している。各小レンズは、光源ランプ４１１Ａから射出された光束を部分光束に分割し、照明光軸方向に射出する。
第２レンズアレイ４１３は、第１レンズアレイ４１２と略同様の構成であり、小レンズがマトリクス状に配列された構成を具備する。この第２レンズアレイ４１３は、重畳レンズ４１５とともに、第１レンズアレイ４１２の各小レンズの像を光学装置４４の後述する液晶パネル上に結像させる機能を有する。
【００２９】
偏光変換素子４１４は、第２レンズアレイ４１３からの光を略１種類の偏光光に変換するものであり、これにより、光学装置４４での光の利用効率が高められている。
具体的に、偏光変換素子４１４によって略１種類の偏光光に変換された各部分光束は、重畳レンズ４１５によって最終的に光学装置４４の後述する液晶パネル上にほぼ重畳される。偏光光を変調するタイプの液晶パネルを用いたプロジェクタでは、１種類の偏光光しか利用できないため、ランダムな偏光光を発する光源ランプ４１１Ａからの光束の略半分が利用されない。このため、偏光変換素子４１４を用いることにより、光源ランプ４１１Ａから射出された光束を略１種類の偏光光に変換し、光学装置４４における光の利用効率を高めている。なお、このような偏光変換素子４１４は、例えば、特開平８−３０４７３９号公報に紹介されている。
【００３０】
色分離光学系４２は、２枚のダイクロイックミラー４２１，４２２と、反射ミラー４２３とを備える。インテグレータ照明光学系４１から射出された複数の部分光束は、２枚のダイクロイックミラー４２１，４２２により赤（Ｒ）、緑（Ｇ）、青（Ｂ）の３色の色光に分離される。
光学フィルタ４２Ａは、２枚のダイクロイックミラー４２１，４２２の間に配置され、ダイクロイックミラー４２１を透過した光束についてスペクトル補正を実施する。そして、この光学フィルタ４２Ａは、比較的に光強度の高い色光（例えば、緑色光および青色光等）のスペクトル補正を実施することで、投写画像のコントラストの低下を防止している。この光学フィルタ４２Ａは、具体的な図示は省略するが、青板ガラスまたは白板ガラス等からなるガラス基板と、このガラス基板の表面に屈折率の異なる２種類の薄膜が交互に積層された光学変換膜とを含んで構成される。
【００３１】
また、この光学フィルタ４２Ａは、ライトガイド４５に設けられたフィルタ移動機構４５Ａ（図５）によって光束の光路内外に移動される。すなわち、光学フィルタ４２Ａは、照明光軸に対して略垂直になるように照明光軸上に配置されている。この状態から、フィルタ移動機構４５Ａは、図６中矢印Ｒで示すように、光学フィルタ４２Ａの姿勢を変えながら、ライトガイド４５の光路外にスライドさせる。
リレー光学系４３は、入射側レンズ４３１と、一対のリレーレンズ４３３と、反射ミラー４３２，４３５とを備えている。このリレー光学系４３は、色分離光学系４２で分離された色光である青色光を光学装置４４の後述する青色光用の液晶パネルまで導く機能を有している。
【００３２】
この際、色分離光学系４２のダイクロイックミラー４２１では、インテグレータ照明光学系４１から射出された光束のうち、緑色光成分と青色光成分とは透過し、赤色光成分は反射する。ダイクロイックミラー４２１によって反射した赤色光は、反射ミラー４２３で反射し、フィールドレンズ４１９を通って、赤色光用の液晶パネルに到達する。このフィールドレンズ４１９は、第２レンズアレイ４１３から射出された各部分光束をその中心軸（主光線）に対して平行な光束に変換する。青色光および緑色光用の液晶パネルの光入射側に設けられたフィールドレンズ４１９も同様である。
【００３３】
また、ダイクロイックミラー４２１を透過した青色光と緑色光のうちで、緑色光は、ダイクロイックミラー４２２によって反射し、フィールドレンズ４１９を通って、緑色光用の液晶パネルに到達する。一方、青色光は、ダイクロイックミラー４２２を透過してリレー光学系４３を通り、さらにフィールドレンズ４１９を通って、青色光用の液晶パネルに到達する。
なお、青色光にリレー光学系４３が用いられているのは、青色光の光路の長さが他の色光の光路長さよりも長いため、光の発散等による光の利用効率の低下を防止するためである。すなわち、入射側レンズ４３１に入射した部分光束をそのまま、フィールドレンズ４１９に伝えるためである。なお、リレー光学系４３には、３つの色光のうちの青色光を通す構成としたが、これに限らず、例えば、赤色光を通す構成としてもよい。
【００３４】
光学装置４４は、入射された光束を画像情報に応じて変調してカラー画像を形成する。この光学装置４４は、色分離光学系４２で分離された各色光が入射される３つの入射側偏光板４４２と、これら入射側偏光板４４２の後段に配置される液晶パネル４４１（赤色光用を４４１Ｒ、緑色光用を４４１Ｇ、青色光用を４４１Ｂとする）および射出側偏光板４４４と、クロスダイクロイックプリズム４４５とを備える。
液晶パネル４４１Ｒ，４４１Ｇ，４４１Ｂは、例えば、ポリシリコンＴＦＴ（Thin Film Transistor）をスイッチング素子として用いたものであり、対向配置される一対の透明基板内に液晶が密封封入されている。そして、この液晶パネル４４１Ｒ，４４１Ｇ，４４１Ｂは、入射側偏光板４４２を介して入射する光束を画像情報に応じて変調して射出する。
【００３５】
入射側偏光板４４２は、色分離光学系４２で分離された各色光のうち、一定方向の偏光光のみ透過させ、その他の光束を吸収するものであり、サファイアガラス等の基板に偏光膜が貼付されたものである。
また、射出側偏光板４４４も、入射側偏光板４４２と略同様に構成され、液晶パネル４４１Ｒ，４４１Ｇ，４４１Ｂから射出された光束のうち、所定方向の偏光光のみ透過させ、その他の光束を吸収するものであり、透過させる偏光光の偏光軸は、入射側偏光板４４２における透過させる偏光光の偏光軸に対して直交するように設定されている。
【００３６】
クロスダイクロイックプリズム４４５は、射出側偏光板４４４から射出され、色光毎に変調された光学像を合成してカラー画像を形成するものである。このクロスダイクロイックプリズム４４５には、赤色光を反射する誘電体多層膜と青色光を反射する誘電体多層膜とが、４つの直角プリズムの界面に沿って略Ｘ字状に設けられ、これらの誘電体多層膜により３つの色光が合成される。
以上説明した液晶パネル４４１Ｒ，４４１Ｇ，４４１Ｂ、射出側偏光板４４４およびクロスダイクロイックプリズム４４５は、一体的にユニット化されている。
【００３７】
図７は、ライトガイド４５の構造を示す図である。なお、図７では、前述のフィルタ移動機構４５Ａを外した図である。
ライトガイド４５は、射出成形等による合成樹脂製品であり、前述の光学部品４１，４２，４２Ａ，４３，４４が収納される下ライトガイド４６と、この下ライトガイド４６の上面の開口部分を塞ぐ蓋状の上ライトガイド４７とを備える。
下ライトガイド４６は、光源装置４１１が収納される光源収納部４８と、光源装置４１１を除く他の光学部品が収納される容器状に形成された部品収納部４９とを備えている。
【００３８】
光源収納部４８は、略箱型形状であり、部品収納部４９側の端面およびこの端面に対向する端面に開口が形成されている。部品収納部４９側の端面に形成された開口は、光源装置４１１から射出された光束を透過させるためのものである。また、部品収納部４９側の端面に対向する端面に形成された開口は、光源装置４１１を光源収納部４８の側方から差し込むようにして収容するための開口である。
また、光源収納部４８の前方側および後方側端面には、図７に示すように、該光源収納部４８内外に冷却空気を流通させるための流入用開口４８Ａ１，４８Ｂ１、および流出用開口４８Ａ２，４８Ｂ２がそれぞれ対向形成されている。
【００３９】
部品収納部４９は、上面が開口した略直方体形状であり、その一端は光源収納部４８に接続されている。また、この部品収納部４９の他端には、投写レンズ３がねじ止め固定されるヘッド部５０が取り付けられている。このヘッド部５０は、ライトガイド４５内に設定される照明光軸に対する所定位置に投写レンズ３を設置するためのものである。
部品収納部４９には、具体的な図示は省略するが、光学部品４１２〜４１５，４１９，４２１〜４２３，４３１〜４３５を上方からスライド式に嵌め込むための複数の溝部が形成されている。また、この部品収納部４９のヘッド部５０に隣接する部分には、光学装置４４が設置される。
また、部品収納部４９の底面には、具体的な図示は省略するが、光学装置４４の各液晶パネル４４１Ｒ，４４１Ｇ，４４１Ｂに対応する位置、および偏光変換素子４１４に対応する位置にそれぞれ開口が形成されている。これら開口を介して、後述する冷却ユニット７により冷却空気がライトガイド４５内に流通可能となる。
【００４０】
上ライトガイド４７は、下ライトガイド４６の部品収納部４９における光学装置４４の上方を除く上端開口部分を閉塞する。この上ライトガイド４７には、表裏を貫通して複数の開口部４７Ａが形成され、この開口部４７Ａから、ライトガイド４５内を冷却した空気が排出されることとなる。
【００４１】
(2-2)制御基板５の構造
制御基板５は、図４に示すように、光学ユニット４の上方に配置されるメイン基板５１と、フロントケース２３および電源ユニット６の間に配置されるサブ基板５２とを備える。
メイン基板５１は、ＣＰＵ（Central Processing Unit）等の演算処理装置が実装された回路基板として構成され、プロジェクタ１全体を制御する。このメイン基板５１は、前述のインターフェース基板から出力される信号に基づいて液晶パネル４４１Ｒ，４４１Ｇ，４４１Ｂを駆動制御する。そして、液晶パネル４４１Ｒ，４４１Ｇ，４４１Ｂは、光変調を実施して光学像を形成する。また、このメイン基板５１は、前述の操作パネル２６の回路基板、および前述の図示しないリモコン受光モジュールから出力される操作信号を入力し、この操作信号に基づいてプロジェクタ１の構成部材に適宜、制御指令を出力する。
また、このメイン基板５１の上方には、図３に示すように、アルミニウムから構成される平面視Ｌ字状の上部シールド板８Ａが取り付けられている。そして、この上部シールド板８Ａは、制御基板５に実装される回路素子から放射される電磁波を遮蔽するとともに、外部からの電磁波も遮蔽し、雑音障害を回避している。
【００４２】
サブ基板５２は、後述する冷却ユニット７を構成する複数の冷却ファンを駆動するためのファン駆動回路が実装された基板であり、メイン基板５１と電気的に接続され、該メイン基板５１から出力される制御指令を入力することで、前記冷却ファンを駆動させる。
また、このサブ基板５２には、メイン基板５１の上方に取り付けられた上部シールド板８Ａと接続し、該サブ基板５２を覆うアルミニウムから構成されるシールド板８Ｂが取り付けられている。
なお、シールド板８Ａ，８Ｂは、アルミニウムに限らず、その他の金属で構成してもよく、また、合成樹脂等で構成し、その表面にメッキ処理、または、金属蒸着処理、金属箔の貼り付け等を施したものを採用してもよい。
【００４３】
(2-3)電源ユニット６の構成
電源ユニット６は、光源装置４１１および制御基板５等に電力を供給するものであり、図３ないし図５に示すように、外装ケース２のフロントケース２３の長手方向に沿って配置されている。この電源ユニット６は、図３ないし図５に示すように、電源回路を備えた電源ブロック６１と、この電源ブロック６１の下方に配置されるランプ駆動ブロック（図示略）とを備えている。
電源ブロック６１は、インレットコネクタ２７（図２）に接続された電源ケーブルを通して外部から供給された電力をランプ駆動ブロックおよび制御基板５等に供給する。この電源ブロック６１は、入力される交流を低電圧の直流に変換するトランスや該トランスからの出力を所定の電圧に変換する変換回路等が片面に実装された回路基板と、この回路基板を覆う筒状部材６１１とを備える。このうち、筒状部材６１１は、アルミニウムから構成され、両端が開口された略箱状に形成されている。
ランプ駆動ブロックは、前述した光源装置４１１に安定した電圧で電力を供給するための変換回路等が片面に実装された回路基板を備え、電源ブロック６１から入力した商用交流電流は、このランプ駆動ブロックによって整流、変換されて、直流電流や交流矩形波電流となって光源装置４１１（図６）に供給される。また、ランプ駆動ブロックは、電源ブロック６１の筒状部材６１１と同様に、回路基板を覆う筒状部材を備えている。
【００４４】
(2-4)冷却ユニット７の構成
図８は、冷却ユニット７の構成を示す図である。具体的に、図８は、図５の状態からリアケース２５、光学ユニット４、および電源ユニット６を取り外した状態を示す図である。
冷却ユニット７は、プロジェクタ１内部の発熱部材を冷却する。この冷却ユニット７は、図８に示すように、プロジェクタ１内部に外部の冷却空気を導入するシロッコファン７１，７２と、ロアーケース２２の底面部２２Ａに形成された吸気口２Ａ（図２）を介してプロジェクタ１内部に流入した冷却空気をシロッコファン７１，７２の各吸気口に導く吸気側ダクト７３と、シロッコファン７１，７２の各吐出口と接続し、光学ユニット４内部および電源ユニット６側に冷却空気を導く吐出側ダクト７４と、光源装置４１１に空気を吹き付けるシロッコファン７５と、プロジェクタ１内部の空気を外部に排出する排気装置７６とを備える。
【００４５】
シロッコファン７１は、ロアーケース２２の底面部２２Ａに形成された吸気口２Ａ（図２）の後方側に位置し、冷却空気を吸入する吸気面が光源装置４１１、光学装置４４、およびクロスダイクロイックプリズム４４５にて形成される光路面（ロアーケース２２の底面部２２Ａに沿った面）に直交する面に沿って配置されている。具体的に、このシロッコファン７１は、冷却空気を吸入する吸気口が前方に向き、吸入した冷却空気を吐出する吐出口が前方から見て左方向に向いている。
シロッコファン７２は、投写レンズ３の側方に位置し、シロッコファン７１と同様に、冷却空気を吸入する吸気面が前記光路面に直交する面に沿って配置されている。具体的に、このシロッコファン７２は、冷却空気を吸入する吸気口が前方から見て右方向に向き、吸入した冷却空気を吐出する吐出口が底面部２２Ａに沿って後方に向いている。
【００４６】
吸気側ダクト７３は、冷却空気を流通可能とする中空部材から構成され、光学ユニット４の下面および前方から見て右側の側端面に沿って配置されている。この吸気側ダクト７３は、吸気口２Ａ（図２）を介した冷却空気を吸気側ダクト７３内部に導入する吸気側第１ダクト７３１と、この吸気側第１ダクト７３１と接続し、吸気側第１ダクト７３１に導入された冷却空気をシロッコファン７１，７２の各吸気口へと流通させる吸気側第２ダクト７３２とを備える。
吸気側第１ダクト７３１は、略直方体形状を有し、一方の端面に形成された図示しない開口が吸気口２Ａ（図２）と接続し、光学ユニット４の下方に配置される。
吸気側第２ダクト７３２は、吸気側第１ダクト７３１の一端と冷却空気を流通可能に接続し、吸気側第１ダクト７３１と略直交して外装ケース２の側面部２１Ｂ，２２Ｂに沿って延びる略直方体状に形成されている。そして、この吸気側第２ダクト７３２は、一端側にシロッコファン７１の吸気口と接続する図示しない開口が形成されるとともに、他端側にシロッコファン７２の吸気口と接続する図示しない開口が形成され、吸気側第１ダクト７３１に導入された冷却空気をシロッコファン７１，７２の各吸気口の双方に流通させる。
【００４７】
吐出側ダクト７４は、冷却空気を流通可能とする中空部材から構成され、ロアーケース２２の底面部２２Ａに沿って光学ユニット４の下方に配置される。この吐出側ダクト７４は、シロッコファン７１，７２の各吐出口と接続され、光学ユニット４の光学装置４４に冷却空気を導く吐出側第１ダクト７４１と、この吐出側第１ダクト７４１と接続し、光学ユニット４の偏光変換素子４１４および電源ユニット６側に冷却空気を導く吐出側第２ダクト７４２とを備える。
吐出側第１ダクト７４１は、一端側にシロッコファン７１の吐出口と接続する図示しない開口が形成されるとともに、他端側にシロッコファン７２の吐出口と接続する図示しない開口が形成され、平面視略Ｕ字状に形成されている。そして、吐出側第１ダクト７４１の上面には、光学装置４４に対応する位置に３つの導出口７４１Ｒ，７４１Ｇ，７４１Ｂが形成されている。また、吐出側第１ダクト７４１の内部には、具体的な図示は省略するが、導出口７４１Ｒ側と、導出口７４１Ｇ，７４１Ｂ側とを区画する隔壁が形成されている。
【００４８】
吐出側第２ダクト７４２は、一端が吐出側第１ダクト７４１の側端面と冷却空気を流通可能に接続し、他端が電源ユニット６側に延びる平面視略Ｕ字状に形成されている。そして、吐出側第２ダクト７４２には、他端に導出口７４２Ａが形成されるとともに、その上面の偏光変換素子４１４に対応した位置に導出口７４２Ｂが形成されている。
そして、これらシロッコファン７１，７２、吸気側ダクト７３、および吐出側ダクト７４は、一体的にユニット化され、ロアーケース２２の底面部２２Ａにねじ等により固定される。
【００４９】
シロッコファン７５は、光源装置４１１の側方に位置し、シロッコファン７１，７２と同様に、冷却空気を吸入する吸気面が前記光路面に直交する面に沿って配置されている。具体的に、このシロッコファン７５は、冷却空気を吸入する吸気口が前方から見て右方向に向き、吸入した冷却空気を吐出する吐出口７５１がライトガイド４５の光源収納部４８に形成された流入用開口４８Ａ１（図７）に対向するように配置される。そして、このシロッコファン７５は、ファン固定部材７５Ａによりロアーケース２２の底面部２２Ａにねじ等により固定される。
【００５０】
排気装置７６は、ロアーケース２２の底面部２２Ａに形成された膨出部２２Ａ２と、ロアーケース２２の側面部２２Ｃに形成された膨出部２２Ｃ１とで形成される凹部に収納配置されている。この排気装置７６は、吸気面が前記光路面に直交する面に沿って配置されるとともに、吸気口が前方から見て右方向に向き、吐出口が前方側に向くように配置されるシロッコファン７６２と、光源装置４１１の側方に対向配置され、光源装置４１１を介して温められた空気をシロッコファン７６２の吸気口側に導く排気側ダクト７６１と、複数の羽根板７６３Ａを有し、シロッコファン７６２の吐出口に接続するとともに外装ケース２の排出口２Ｂに係合するルーバ７６３とを備える。そして、これら排気側ダクト７６１、シロッコファン７６２、およびルーバ７６３は、一体的にユニット化され、ロアーケース２２の底面部２２Ａにねじ等により固定される。
【００５１】
(2-5)電源ユニット６及び制御基板５の詳細な構成
前述したように、電源ユニット６は、図３ないし図５及び図９に示すように、電源回路を備えた電源ブロック６１と、この電源ブロック６１の下方に配置されるランプ駆動ブロック（光源駆動ブロック）６２とを備えている。
ランプ駆動ブロック６２は、電源ブロック６１の筒状部材６１１と同様に、光源駆動用回路基板６２２を覆う直方体形状の筒状部材６２１を備えている。このランプ駆動ブロック６２の筒状部材６２１と、電源ブロック６１の筒状部材６１１とは互いに略平行に配置されている。
このようなランプ駆動ブロック６２は、電源ブロック６１より小さく、電源ブロック６１の下方であって、ランプ駆動ブロック６２の側方には隙間が形成される。
【００５２】
制御基板５は、前述したように、図４及び図９，１０に示すように、光学ユニット４の上方に配置されるメイン基板５１と、このメイン基板５１とは独立して配置されるサブ基板５２とを備える。
メイン基板５１は、前述したような液晶パネル４４１Ｒ，４４１Ｇ，４４１Ｂを駆動制御する回路のほか、例えば、投写レンズ３のズーム調整、フォーカス調整等を行うための回路や、光学フィルタ４２Ａを移動させるためのフィルタ移動機構４５Ａを駆動制御する回路等が実装されている。
このメイン基板５１の上方には、図３及び図１１に示すように、アルミニウムから構成される平面視Ｌ字状の上部シールド板８Ａが取り付けられている。このような上部シールド板８Ａは、プロジェクタ１の投写方向と略直交して延びる第一延出部８１Ａと、基端部が第一延出部８１Ａに接続され、プロジェクタ１の投写方向に沿って延びる第二延出部８２Ａとを備える。
第二延出部８２Ａの先端部は、下方（ロアーケース２２の底面部２２Ａ側）に向かって屈曲している。そしてこの先端部には、メイン基板５１と略平行に延びる固定部８３Ａが形成されている。
さらに、図１１に示すように、メイン基板５１の下方には、アルミニウムから構成される板状の下部シールド板８Ｃが設置される。この下部シールド板８Ｃ及び前記上部シールド板８Ａにより、メイン基板５１の表裏面が覆われることとなる。
下部シールド板８Ｃも平面視Ｌ字状であり、プロジェクタ１の投写方向と略直交して延びる第一延出部８１Ｃと、基端部が第一延出部８１Ｃに接続され、プロジェクタ１の投写方向に沿って延びる第二延出部８２Ｃとを備える。第二延出部８２Ｃの延出方向先端部には、上方（上部シールド板８Ａ側）に延びる一対の立上部８３Ｃが形成されている。この立上部８３Ｃの先端部８３Ｃ１は、その立ち上がり方向に対して略直角に屈曲されており、この先端部８３Ｃ１には、ねじ止め用の孔が形成されている。
【００５３】
サブ基板５２は、前述したように、プロジェクタ１の駆動時に、常時駆動するような回路、例えば、冷却ユニット７を構成する複数の冷却ファン（シロッコファン７１，７２，７５，７６２）を駆動制御するためのファン駆動回路が実装された基板であり、メイン基板５１と電気的に接続され、該メイン基板５１から出力される制御指令を入力することで、前記冷却ファンを駆動させる。
このメイン基板５１と、サブ基板５２とは、例えば、図示しないＦＦＣ（Flat Flex Cable）等により接続される。
このサブ基板５２には、図９〜図１１に示すように、メイン基板５１の上方に取り付けられた上部シールド板８Ａ及び下部シールド板８Ｃに接続され、該サブ基板５２を覆うアルミニウムから構成されるシールド板８Ｂが取り付けられている。
【００５４】
このシールド板８Ｂは、フロントケース２３と略平行に配置される平面略矩形形状の第一壁部８１Ｂと、この第一壁部８１Ｂの上端部（上部シールド板８Ａ側の端部）に前記第一壁部８１Ｂと略直交して設けられた固定部８２Ｂと、第一壁部８１Ｂの下端部から内側に向かって傾斜して延びる傾斜部８３Ｂと、この傾斜部８３Ｂから下方（下部シールド板８Ｃ側）に向かって延びる第二壁部８４Ｂと、第二壁部８４Ｂに略直交して設けられる第三壁部８５Ｂと、この第三壁部８５Ｂから上方（上部シールド板８Ａ側）に立設して設けられる一対の立上部８６Ｂとを備える。
第一壁部８１Ｂは、フロントケース２３と略平行に配置されるとともに、電源ブロック６１に隣接して配置される。
【００５５】
固定部８２Ｂは、上部シールド板８Ａの固定部８３Ａに固定される部分であり、ねじ止め用の孔が形成されている。シールド板８Ｂの固定部８２Ｂと、上部シールド板８Ａの固定部８３Ａとを固定することにより、シールド板８Ａ，８Ｂが固定され、上部シールド板８Ａとシールド板８Ｂとが導通することとなる。
傾斜部８３Ｂは、第一壁部８１Ｂの下端部からプロジェクタ１の内部側に向かって傾斜している。
第三壁部８５Ｂは、電源ブロック６１の下方であって、ランプ駆動ブロック６２の側方に配置される。この第三壁部８５Ｂは、平面略矩形形状であり、その長辺方向の端部には、サブ基板５２を固定するためのサブ基板固定部８７Ｂが設けられている。このサブ基板固定部８７Ｂは、第三壁部８５Ｂから上方に立ち上がった第一のリブ８７Ｂ１と、この第一のリブ８７Ｂ１に設けられ、前記傾斜部８３Ｂと略平行に延びる第二のリブ８７Ｂ２とを備え、第二のリブ８７Ｂ２にサブ基板５２をねじ止めすることでサブ基板５２が固定される。これにより、電源ブロック６１の下方であって、ランプ駆動ブロック６２の側方の隙間に、サブ基板５２がプロジェクタ１内側に向かって、傾斜して配置されることとなる。なお、図１２にも示すように、サブ基板５２は、電源ブロック６１及びランプ駆動ブロック６２の筒状部材６１１，６２１の軸方向に沿って配置される。
【００５６】
立上部８６Ｂは、第三壁部８５Ｂの短辺方向の端部に設けられている。この立上部８６Ｂの先端部８６Ｂ１は、その立ち上がり方向に対して略直角に屈曲されており、この先端部には、ねじ止め用の孔が形成されている。このシールド板８Ｂの立上部８６Ｂの先端部８６Ｂ１と、下部シールド板８Ｃの立上部８３Ｃの先端部８３Ｃ１とを重ね合わせ、ねじ止めすることで、下部シールド板８Ｃと、シールド板８Ｂとが固定され、下部シールド板８Ｃと、シールド板８Ｂとが導通することとなる。
以上のような上部シールド板８Ａ、シールド板８Ｂ、下部シールド板８Ｃとを固定することで、メイン基板５１、サブ基板５２、電源ユニット６等の回路部品全体がシールド板８Ａ，８Ｂ，８Ｃにより、覆われることとなる。
【００５７】
（３）冷却構造
次に、前述の冷却ユニット７によるプロジェクタ１内部の冷却構造を説明する。
図１３は、プロジェクタ１内部に形成される冷却流路を示す図である。
プロジェクタ１内部には、前述の冷却ユニット７により、図１３に示すように、液晶パネル４４１Ｒ，４４１Ｇ，４４１Ｂを主に冷却するパネル冷却流路Ａと、偏光変換素子４１４および電源ユニット６を主に冷却する偏光変換素子・電源冷却流路Ｂと、光源装置４１１を主に冷却する光源冷却流路Ｃとが形成される。
【００５８】
パネル冷却流路Ａは、冷却空気がプロジェクタ１内を以下に示すように流通することで形成される。
すなわち、シロッコファン７１，７２の駆動により、プロジェクタ１外部の冷却空気は、図１３に示すように、ロアーケース２２の底面部２２Ａに形成された吸気口２Ａ（図２）から吸気側第１ダクト７３１内部に導入され、吸気側第２ダクト７３２を介してシロッコファン７１，７２の双方に吸気される。
シロッコファン７１に吸気された冷却空気は、吐出口から吐出され、吐出側第１ダクト７４１の一端から該吐出側第１ダクト７４１内部に導入される。そして、吐出側第１ダクト７４１内部に導入された冷却空気の一部は、内部の図示しない整流板により整流され、導出口７４１Ｒを介して吐出側第１ダクト７４１外部に流出する。
また、シロッコファン７２に吸気された冷却空気は、吐出口から吐出され、吐出側第１ダクト７４１の他端から該第１吐出側ダクト内部に導入され、導出口７４１Ｂ，７４１Ｇを介して吐出側第１ダクト７４１外部に流出する。
【００５９】
導出口７４１Ｒ，７４１Ｇ，７４１Ｂを介して吐出側第１ダクト７４１外部に流出した冷却空気は、ライトガイド４５の底面部分に形成された図示しない開口からライトガイド４５内部に導入される。ライトガイド４５内部に導入された冷却空気は、液晶パネル４４１Ｒ，４４１Ｇ，４４１Ｂ、入射側偏光板４４２、および射出側偏光板４４４を冷却しながら、光学装置４４の下方から上方に向けて流れ、ライトガイド４５の外部に流出する。そして、ライトガイド４５の外部に流出した空気は、排気装置７６のシロッコファン７６２により引き寄せられ、制御基板５（図４）を冷却しつつ該制御基板５に沿って流れ、ルーバ７６３を介して外装ケース２の排出口２Ｂ（図１）から排出される。
【００６０】
偏光変換素子・電源冷却流路Ｂは、冷却空気がプロジェクタ１内を以下に示すように流通することで形成される。
すなわち、シロッコファン７１から吐出され、吐出側第１ダクト７４１の一端から該吐出側第１ダクト７４１内部に導入された冷却空気の一部は、内部の図示しない整流板により整流され、吐出側第２ダクト７４２の一端から該吐出側第２ダクト７４２内部に導入される。
吐出側第２ダクト７４２内部に導入された冷却空気の一部は、導出口７４２Ｂを介して吐出側第２ダクト７４２外部に流出する。
導出口７４２Ｂを介して吐出側第２ダクト７４２外部に流出した冷却空気は、ライトガイド４５の底面部分に形成された図示しない開口からライトガイド４５内部に導入され、偏光変換素子４１４を冷却し、上ライトガイド４７に形成された開口部４７Ａ（図７）からライトガイド４５外部に流出する。そして、ライトガイド４５の外部に流出した空気は、前述のパネル冷却流路Ａと同様に、制御基板５（図４）を冷却しつつ該制御基板５に沿って流れ、ルーバ７６３を介して外装ケース２の排出口２Ｂ（図１）から排出される。
【００６１】
また、吐出側第２ダクト７４２内部に導入された冷却空気の一部は、該吐出側第２ダクト７４２に導かれ、他端に形成された導出口７４２Ａから吐出側第２ダクト７４２外部に流出する。
導出口７４２Ａを介して吐出側第２ダクト７４２外部に流出した冷却空気は、排気装置７６のシロッコファン７６２により引き寄せられ、電源ユニット６を構成する電源ブロック６１およびランプ駆動ブロック６２の各筒状部材６１１，６２１の開口部分から該電源ユニット６内部に導入される（図１２）。そして、電源ユニット６内部に導入された冷却空気は、電源ブロック６１およびランプ駆動ブロック６２の各回路基板に実装された回路素子を冷却しつつ各筒状部材６１１，６２１に沿って流れ、ルーバ７６３を介して外装ケース２の排出口２Ｂ（図１）から排出される。
なお、排気装置７６のシロッコファン７６２により引き寄せられた冷却空気の一部は、電源ブロック６１およびランプ駆動ブロック６２の筒状部材６１１，６２１内に入らず、サブ基板５２の基板面に沿って流れ、サブ基板５２を冷却した後、ルーバ７６３を介して外装ケース２の排出口２Ｂ（図１）から排出される。
【００６２】
光源冷却流路Ｃは、冷却空気がプロジェクタ１内を以下に示すように流通することで形成される。
すなわち、シロッコファン７５により吸気されたプロジェクタ１内部の空気は、吐出口７５１から吐出され、ライトガイド４５の光源収納部４８の側面に形成された流入用開口４８Ａ１から光源収納部４８内に流入する。光源収納部４８内に流入した空気は、光源装置４１１（図６）内部に流入し、光源ランプ４１１Ａ（図６）を冷却する。光源ランプ４１１Ａ（図６）を冷却した後の高温空気は、光源装置４１１（図６）外部に流出し、光源収納部４８の側面に形成された流出用開口４８Ａ２を介して光源収納部４８外部に流出する。
【００６３】
また、排気装置７６のシロッコファン７６２の駆動により、光源収納部４８の側方に滞留する空気が引き寄せられ、光源収納部４８の側面に形成された流入用開口４８Ｂ１から光源収納部４８内に流入する。光源収納部４８内に流入した空気は、光源装置４１１（図６）のリフレクタ４１１Ｂ（図６）の背面に沿って流通し、リフレクタ４１１Ｂ（図６）を冷却する。リフレクタ４１１Ｂ（図６）を冷却した後の高温空気は、光源収納部４８の側面に形成された流出用開口４８Ｂ２を介して光源収納部４８外部に流出する。
そして、光源ランプ４１１Ａおよびリフレクタ４１１Ｂを冷却し、光源収納部４８外部に流出した高温空気は、排気装置７６の排気側ダクト７６１を介してシロッコファン７６２に吸入され、ルーバ７６３を介して外装ケース２の排出口２Ｂ（図１）から排出される。
【００６４】
（４）実施形態の効果
（4-1）プロジェクタ１は、液晶パネル４４１Ｒ，４４１Ｇ，４４１Ｂを駆動制御するメイン基板５１と、ファン７１，７２，７５，７６２を駆動制御するファン駆動回路が形成されたサブ基板５２とを備えており、メイン基板５１には、ファン駆動回路が形成されていないので、ファン駆動回路からのノイズの影響が画像信号に影響しにくくなる。これにより、画質の向上を図ることができる。
プロジェクタ１の駆動時には、ファン７１，７２，７５，７６２を常時回転させる必要があるため、ファン駆動回路からは常時ノイズが発生することとなる。従って、ファン駆動回路と、液晶パネル４４１Ｒ，４４１Ｇ，４４１Ｂを駆動制御する回路とを別の基板に搭載させることで、効果的に画質の向上を図ることができるのである。
【００６５】
（4-2）また、サブ基板５２には、ファン７１，７２，７５，７６２を駆動させるためのファン駆動回路のみを実装し、プロジェクタ１の駆動時に常時駆動しないような投写レンズ３のズーム調整、フォーカス調整等を行うための回路や、光学フィルタ４２Ａを移動させるためのフィルタ移動機構４５Ａを駆動制御する回路等はメイン基板５１に実装している。これにより、サブ基板５２の大型化を防止することができる。
そして、このように、サブ基板５２の大型化を防止できるので、サブ基板５２は、電源ブロック６１の下方であって、ランプ駆動ブロック６２の側方の隙間に配置することができ、サブ基板５２の設置スペースを新たに形成する必要がない。これにより、プロジェクタ１の大型化を防止することができる。
【００６６】
（4-3）サブ基板５２を覆うようにシールド板８Ｂが設けられているので、サブ基板５２からの電磁波が遮蔽され、これにより、画像信号が受けるファン駆動回路からのノイズの影響をより効果的に低減させることができる。
（4-4）さらに、サブ基板５２を覆うシールド板８Ｂ及びメイン基板５１を覆うシールド板８Ａ，８Ｃにより、回路部品全体をシールドすることができるので、回路部品全体を遮蔽するシールド板を別途設ける必要がなく、構造を簡略化することができる。
【００６７】
（4-5）ランプ駆動ブロック６２と、電源ブロック６１とは、筒状部材６１１，６２１が互いに平行配置されており、筒状部材６１１，６２１の軸方向に沿って、サブ基板５２が配置されている。従って、ランプ駆動ブロック６２及び電源ブロック６１の筒状部材６１１，６２１の開口側にシロッコファン７６２を設置することにより、このシロッコファン７６２でランプ駆動ブロック６２、電源ブロック６１のみならず、サブ基板５２も冷却することができる。
また、筒状部材６１１，６２１の軸方向に沿って、サブ基板５２が配置されているので、シロッコファン７６２により引き寄せられる冷却空気の流れがサブ基板５２により、阻害されることなく、冷却空気を効率よく流すことができる。
【００６８】
（５）実施形態の変形
なお、本発明は前述の実施形態に限定されるものではなく、本発明の目的を達成できる範囲での変形、改良等は本発明に含まれるものである。
例えば、前記実施形態では、ランプ駆動ブロック６２、電源ブロック６１の筒状部材６２１，６１１の軸方向に沿ってサブ基板５２を配置していたが、これに限らず、筒状部材６２１，６１１の軸方向に沿ってサブ基板５２を配置しなくてもよい。このようにすることで、サブ基板５２の配置位置の自由度を向上させることができる。
さらに、前記実施形態では、シールド板８Ａ，８Ｂ，８Ｃにより、メイン基板５１、サブ基板５２、電源ユニット６等の回路部品全体を覆っていたが、これには限られず、例えば、シールド板を筒状に形成し、サブ基板５２の周囲のみを覆うようにしてもよい。
また、シールド板８Ｃはなくてもよい。このようにすることで部材点数の削減を図ることが可能となる。
前記実施形態では、電源ブロック６１の下方であって、ランプ駆動ブロック６２の側方の隙間にサブ基板５２を配置したが、これに限らず、例えば、メイン基板５１に隣接させてサブ基板５２を配置してもよい。
さらに、前記実施形態では、サブ基板５２をシールド板８Ｂに固定したが、これに限らず、他の部材にサブ基板を固定してもよい。
【産業上の利用可能性】
【００６９】
本発明は、会議、学会、展示会等でのマルチメディアプレゼンテーションに広く利用されるプロジェクタとして利用することができる。
【図面の簡単な説明】
【００７０】
【図１】本実施形態に係るプロジェクタを上方前面側から見た斜視図。
【図２】前記実施形態におけるプロジェクタを下方背面側から見た斜視図。
【図３】前記実施形態におけるプロジェクタの内部構成を示す図。
【図４】前記実施形態におけるプロジェクタの内部構成を示す図。
【図５】前記実施形態におけるプロジェクタの内部構成を示す図。
【図６】前記実施形態における光学ユニットの光学系を模式的に示す図。
【図７】前記実施形態におけるライトガイドの構造を示す図。
【図８】前記実施形態における冷却ユニットの構成を示す図。
【図９】前記実施形態におけるプロジェクタの制御基板及び電源ブロックを示す斜視図。
【図１０】前記実施形態における制御基板を示す斜視図。
【図１１】前記実施形態におけるシールド板を示す斜視図。
【図１２】前記実施形態におけるサブ基板と電源ブロックの配置を示す斜視図。
【図１３】前記実施形態におけるプロジェクタ内部に形成される冷却流路を示す図。
【符号の説明】
【００７１】
１…プロジェクタ、８Ａ…上部シールド板、８Ｂ…シールド板、８Ｃ…下部シールド板、２…外装ケース、５１…メイン基板、５２…サブ基板、６１…電源ブロック、６２…ランプ駆動ブロック、７１，７２，７５，７６２…シロッコファン
【図１】
2005070516.tif 000003
【図２】
2005070516.tif 000004
【図３】
2005070516.tif 000005
【図４】
2005070516.tif 000006
【図５】
2005070516.tif 000007
【図６】
2005070516.tif 000008
【図７】
2005070516.tif 000009
【図８】
2005070516.tif 000010
【図９】
2005070516.tif 000011
【図１０】
2005070516.tif 000012
【図１１】
2005070516.tif 000013
【図１２】
2005070516.tif 000014
【図１３】
2005070516.tif 000015